(57)【要約】【課題】光源からの光を効率よく利用でき、かつ消灯しているＬＥＤ光源が点灯中のＬＥＤ光源からの光を受光して生じる発電現象を抑制し、発電現象による電気回路の誤動作等を防止することが可能な光反応装置を提供する。【解決手段】反応液が充填された反応容器内に、複数のＬＥＤ素子を備えたＬＥＤ光源を複数挿入し、ＬＥＤ光源からの光を反応液に照射して光反応させる装置であって、複数のＬＥＤ光源または複数のＬＥＤ光源群は、互いに独立して点消灯可能に構成されているとともに、各ＬＥＤ光源は、該ＬＥＤ光源の長手方向に垂直な全方位方向に光を照射可能に構成されており、かつ、複数のＬＥＤ光源または複数のＬＥＤ光源群における点灯中のＬＥＤ素子の発光光軸方向に照射される光を消灯中のＬＥＤ素子に到達させない照射光規制構成を有することを特徴とする光反応装置。【選択図】図１
2019126768.tif 000002
【特許請求の範囲】
【請求項１】
反応液が充填された反応容器内に、複数のＬＥＤ素子を備えたＬＥＤ光源を複数挿入し、ＬＥＤ光源からの光を反応液に照射して光反応させる装置であって、前記複数のＬＥＤ光源または複数のＬＥＤ光源群は、互いに独立して点消灯可能に構成されているとともに、各ＬＥＤ光源は、該ＬＥＤ光源の長手方向に垂直な全方位方向に光を照射可能に構成されており、かつ、前記複数のＬＥＤ光源または複数のＬＥＤ光源群における点灯中のＬＥＤ素子の発光光軸方向に照射される光を消灯中のＬＥＤ素子に到達させない照射光規制構成を有することを特徴とする光反応装置。
【請求項２】
前記照射光規制構成として、光不透過性材質で形成された壁が反応容器内に設けられている、請求項１に記載の光反応装置。
【請求項３】
前記照射光規制構成として、前記反応液が光吸収物質を含有し、該光吸収物質の濃度が予め定められた範囲よりも高められている、請求項１に記載の光反応装置。
【請求項４】
前記反応液がシクロアルカンで、反応生成物がシクロアルカノンオキシムである、請求項１〜３のいずれかに記載の光反応装置。
【請求項５】
前記シクロアルカンがシクロヘキサンで、前記反応生成物がシクロヘキサノンオキシムである、請求項３に記載の光反応装置。
【発明の詳細な説明】
【技術分野】
【０００１】
本発明は、発光ダイオード（以下、ＬＥＤとも言う。）を光源として使用し、光源からの光を反応液に照射して光反応させる光反応装置に関する。
【背景技術】
【０００２】
光反応は、光化学反応とも言われ、光照射により、すなわちラジカル反応剤に照射光によるエネルギーを吸収させることにより、分子をエネルギー準位の高い状態、いわゆる励起状態とし、励起された分子により反応を起こさせる化学反応全般を指す。光反応には、光による酸化・還元反応、光による置換・付加反応などの種類があり、適用用途としては写真工業、コピー技術、光起電力の誘起の他、有機化合物の合成に利用されることが知られている。また、非意図的な光化学反応としては光化学スモッグなども光化学反応に属する。
【０００３】
例えば、シクロヘキサノンオキシムを光化学反応により合成できることが知られており、また、シクロアルカンの光ニトロソ化についても、現在では広く知られた技術である。
【０００４】
これまでに用いられてきた光反応のための光源としては、いずれも真空または真空に近い環境に水銀やタリウム、ナトリウム、その他の金属を封入して電圧を印加し、放出される電子線を封入金属に照射することで、気体または蒸気の中での放電による発光を利用したランプ、例えば放電灯や蛍光灯を光源として使用する場合がほとんどである。
【０００５】
例えば、高圧水銀灯を光源として使用する場合、有効波長は３６５ｎｍ〜６００ｎｍである。しかし、この種の水銀を用いる放電灯では、３６５ｎｍ未満の紫外線を含む波長領域にも水銀による特有の発光エネルギーが存在している。そのため、例えば３５０ｎｍ未満の紫外線を含む短波長領域に発光エネルギーを有する場合、多くの化学結合の解離エネルギーに匹敵するので、目的以外の反応が進行して、副反応を助長し、かつタール状の褐色被膜が放電灯の光照射面に生成し収率を低下させてしまう。したがって、紫外線をカットするために、水溶性蛍光剤の使用や紫外線カットガラスが使用される。
【０００６】
このような水銀灯における問題を低減し、かつ発光効率を上げるために、波長５３５ｎｍに有効な発光エネルギーを示すタリウム灯や波長５８９ｎｍに有効な発光エネルギーを示すナトリウム灯が有効であることが知られている。ナトリウム灯を光源とすることで、飛躍的に収率を上げ、安定した反応が可能になる。さらに、高圧ナトリウム放電灯を用いることで、工業的な有効波長は４００〜７００ｎｍとして、波長６００ｎｍ〜７００ｎｍの波長領域で効率アップが可能となる。この範囲でのピーク波長は約５８０〜６１０ｎｍ程度と推定できる。しかし、放電灯の電気特性や始動を良好にするためには、水銀の共存は避けられず、水銀による紫外線をカットするフィルターは必要である。とくに、水銀により発生する波長４００ｎｍ未満の短波長は、エネルギーが強すぎて不要な副反応を引き起こすため、不要な波長とされている。
【０００７】
さらに、ナトリウム灯は、波長７８０〜８４０ｎｍの赤外線を含む波長領域に、特有の発光エネルギーピークを有し、そのエネルギー強度はナトリウム灯での最大発光エネルギーに匹敵するレベルのものも多い。塩化ニトロシルの解離エネルギーは約１５６Ｊ／ｍｏｌであり、Ｅｉｎｓｔｅｉｎの法則より、波長７６０ｎｍ付近の発光エネルギーに匹敵するため、それ以上の長波長領域では光エネルギーが小さく、塩化ニトロシルが解離しないので、反応に寄与せず大きなエネルギーロスになる。
【０００８】
発光ダイオードは、ＬＥＤとも略称され、半導体を用いて電気エネルギーを直接光に転換できる利点があり、熱の発生の抑制、省エネルギー、長寿命等の点で注目されている。その開発の歴史はまだ浅く、１９６２年に赤色ＬＥＤが商品化され、２０００年頃から青色、緑色、白色といったＬＥＤが開発され、表示用、照明用途として商品化された。一方、光反応用に使用されている放電灯は、非常に高出力であり、発光効率も高いが、放電灯と同等の光反応に必要な発光エネルギーをＬＥＤで得ようとすると、ＬＥＤの必要個数が膨大となり、回路設計やＬＥＤの熱対策やコスト面の課題が残されており、光反応の光源としてＬＥＤを適用することは困難であると考えられてきた。さらに、光反応には反応液に均一な光を照射させることが必要であるが、ＬＥＤは指向性が強く、反応に必要な波長を高効率で得ることも困難であり、この点からも光反応の光源へのＬＥＤの適用は困難と考えられてきた。近年では特許文献１に記載のようなＬＥＤ光源を用いた浄水器に関する実施例や、特許文献２のようなＬＥＤによる光反応を小型の反応装置を用いて実施する例も見られる。さらに特許文献３に記載の通り、発光体を大型化するための課題についても解決の目処が立ちつつある。
【０００９】
一方、ＬＥＤはその半導体を用いて電気エネルギーを直接光に転換できる一方で、用いられる半導体は光を受光することで電気エネルギーを発生させる、すなわち、発電現象が起こることが一般的に知られている。
【先行技術文献】
【特許文献】
【００１０】
【特許文献１】特許第５６８１９４１号公報
【特許文献２】特許第５３５９０６４号公報
【特許文献３】特許第６１３７３３３号公報
【発明の概要】
【発明が解決しようとする課題】
【００１１】
工業的に光反応を実施する場合、光源からの光を効率よく反応液に照射することが重要であるが、例えば特許文献１の発明では、ＬＥＤ光源が列状に配置され、最後列のＬＥＤ光源の裏面側には光が照射されず光を効率的に利用できていない。
【００１２】
また、同じく工業的に光反応を実施する場合、複数の光源を独立して点消灯できることは、反応によって生成する製品の生産量を光源の点灯数で調整する、あるいは生産を継続しながら随時光源の保守、交換を行うという場合において重要である。その際、点灯しているＬＥＤ光源からの光が消灯中のＬＥＤ光源の発光部、すなわち半導体素子部分に照射される状況が生まれる。ここで、消灯中のＬＥＤ光源は、点灯しているＬＥＤ光源からの光を受光すると、電気エネルギーを発生させ、電気回路に通常とは逆向きの電圧、電流を生じ、電気回路の誤動作、例えば安全装置の誤動作による点灯不可や、電気回路自身の破損等を起こすという問題があった。
【００１３】
しかし、特許文献２、３に開示の発明では、独立して点消灯ができる複数のＬＥＤ光源を用いた光反応装置で、消灯中のＬＥＤ光源による上記のような発電現象の抑制を実現できる具体的な構造を提案できていない。
【００１４】
このように、特許文献１〜３に開示の発明では、大規模な光反応装置を用いて工業的に光反応で生産活動を実施するのに最適な構造を提案しているとは言えない。
【００１５】
そこで本発明の課題は、光源からの光を効率よく利用でき、かつ消灯しているＬＥＤ光源が点灯中のＬＥＤ光源からの光を受光して生じる発電現象を抑制し、発電現象による電気回路の誤動作等を防止することが可能な光反応装置を提供することにある。
【課題を解決するための手段】
【００１６】
上記課題を解決するため鋭意検討を行った結果、反応液が充填された反応容器内に、複数のＬＥＤ光源を挿入して光を反応液に照射する光反応装置において、ＬＥＤ光源またはＬＥＤ光源群からの光を全周囲に照射する構造とし、点灯中のＬＥＤ素子の発光光軸方向に照射される光が消灯中のＬＥＤ素子に到達しない構成とすることで、ＬＥＤ光源からの光の効率の良い利用と電気回路の誤動作防止が同時に達成可能であることが見出された。
【００１７】
上記課題を解決するために、本発明では以下の構成を採用する。すなわち、
（１）反応液が充填された反応容器内に、複数のＬＥＤ素子を備えたＬＥＤ光源を複数挿入し、ＬＥＤ光源からの光を反応液に照射して光反応させる装置であって、前記複数のＬＥＤ光源または複数のＬＥＤ光源群は、互いに独立して点消灯可能に構成されているとともに、各ＬＥＤ光源は、該ＬＥＤ光源の長手方向に垂直な全方位方向に光を照射可能に構成されており、かつ、前記複数のＬＥＤ光源または複数のＬＥＤ光源群における点灯中のＬＥＤ素子の発光光軸方向に照射される光を消灯中のＬＥＤ素子に到達させない照射光規制構成を有することを特徴とする光反応装置。
（２）前記照射光規制構成として、光不透過性材質で形成された壁が反応容器内に設けられている、（１）に記載の光反応装置。
（３）前記照射光規制構成として、前記反応液が光吸収物質を含有し、該光吸収物質の濃度が予め定められた範囲よりも高められている、（１）に記載の光反応装置。
（４）前記反応液がシクロアルカンで、反応生成物がシクロアルカノンオキシムである、（１）〜（３）のいずれかに記載の光反応装置。
（５）前記シクロアルカンがシクロヘキサンで、前記反応生成物がシクロヘキサノンオキシムである、（３）に記載の光反応装置。
【発明の効果】
【００１８】
本発明によれば、反応液が充填された反応容器内に、独立して点消灯できる複数のＬＥＤ光源を挿入する。ＬＥＤ光源の長手方向に垂直な全方位方向に光を照射する構造を採ることで反応容器内に光が照射されないデッドスペースをなくし、光の利用効率が上げることができる。さらに複数のＬＥＤ光源は点灯中のＬＥＤ素子からの光が他の消灯中のＬＥＤ素子へ照射されることを防止あるいは抑制する照射光規制構成が採られる。このように、点灯中のＬＥＤ素子から消灯中のＬＥＤ素子への光の照射を防止あるいは抑制することで、消灯中のＬＥＤ素子での発電現象を抑制し、電気回路の誤動作、破損を防止し、工業的実施に重要な、独立して点消灯できる複数のＬＥＤ光源を用いた光反応が可能となる。とくに、本発明は、シクロアルカノンオキシムを製造するための光反応、そのシクロアルカノンオキシムを用いるラクタムの製造に極めて有用なものである。
【図面の簡単な説明】
【００１９】
【図１】本発明の第一実施態様に係る光反応装置の概略縦断面図である。
【図２】図１の光反応装置の概略横断面図である。
【図３】本発明の第二実施態様に係る光反応装置の概略縦断面図である。
【図４】図３の光反応装置の概略横断面図である。
【図５】本発明で使用可能なＬＥＤ光源の別の形状例を示す概略横断面図である。
【図６】本発明で使用可能なＬＥＤ光源のさらに別の形状例を示す概略横断面図である。
【図７】本発明で使用可能なＬＥＤ光源のさらに別の形状例を示す概略横断面図である。
【図８】本発明で使用可能なＬＥＤ光源のさらに別の形状例を示す概略横断面図である。
【発明を実施するための形態】
【００２０】
以下に、本発明の実施の形態を、図面を参照しながら説明する。
本発明において、光反応装置とは光を放つ発光体を備え、対象物へ光を照射することのできる装置である。対象物とは、例えば、光反応の目的液としての、原料となる反応液である。図１および図２、図３および図４は、それぞれ、本発明の実施態様に係る光反応装置を示しており、とくに、目的液としての反応液にＬＥＤ光源からの光を照射する場合の例について示している。図１および図２に示す第一実施態様に係る光反応装置１、図３および図４に示す第二実施態様に係る光反応装置１１においては、複数の（多数の）ＬＥＤ素子６を備えたＬＥＤ光源５が、反応容器４内の反応液８、１２の光反応に使用されるべく、反応容器４内に複数挿入されている。ＬＥＤ光源５には、図１、図３に示す装着姿勢において、上部の電源供給部２と点消灯スイッチ３によって電源が供給され、多数のＬＥＤ素子６(図２、図４に図示)が装着されている。ＬＥＤ光源５は、その表面が反応液８、１２から保護するために光透過性容器７に覆われている。図１、２に示す第一実施態様に係る光反応装置１では、反応容器４内には光不透過性材質で形成された壁９（光不透過性壁９）が設置され、点灯中のＬＥＤ素子６の発光光軸１０方向に照射される光が消灯中のＬＥＤ素子６へ到達することを抑制あるいは防止できる構成となっている。図３、４に示す第二実施態様に係る光反応装置１１では、図１、２における光不透過性壁９は設けられず、反応液１２中に含有されている光吸収物質の濃度を高めることによって点灯中のＬＥＤ素子から消灯中のＬＥＤ素子への光の照射を抑制できる構成とされている。したがって、図１、２に示す第一実施態様では、反応容器４内に光不透過性壁９を設けることによって、図３、４に示す第二実施態様では、反応液１２中に含有されている光吸収物質の濃度を高めることによって、本発明における照射光規制構成が達成されている。
【００２１】
本発明において、ＬＥＤ光源５とは、第一実施態様、第二実施態様に示したように、ＬＥＤ素子６を多数搭載して組み上げてなるものである。ＬＥＤ光源の形状に特に制限はないが、図１、図３に示したように柱状の構造体とするものが例示できる。また、本発明において使用可能なＬＥＤ光源の横断面形状としては、図２、４に示したような円形の形状以外にも、図５に示す三角形の横断面形状のＬＥＤ光源２１、図６に示す四角形の横断面形状のＬＥＤ光源２２、図７に示す八角形等の多角形の横断面形状のＬＥＤ光源２３、図８に示す星型多角形の横断面形状のＬＥＤ光源２４などの形状が例示できる。
【００２２】
本発明において、複数のＬＥＤ光源が互いに独立して点消灯できるとは、前述のような複数のＬＥＤ光源が各々1本ずつ独立して点灯消灯できる場合であり、複数のＬＥＤ光源群が互いに独立して点消灯できるとは、前述したような複数のＬＥＤ光源が、２本以上の構成単位で点消灯ができ、それぞれの構成単位を１群と定義し、複数の群が独立して点消灯できる場合である。具体的には、図１、３に示す装着姿勢において、反応容器４外に設けられた電源供給部２と複数のＬＥＤ光源５を独立して点消灯できる点消灯スイッチ３を供えた構成が例示できる。ＬＥＤ光源５は光透過性容器７で覆われており、反応液８、１２と直接接触しないよう保護されている。
【００２３】
ＬＥＤ光源の長手方向に垂直な全方位方向に光を照射可能に構成されているとは、図１、図２において例示すれば、ＬＥＤ光源５の長手方向と垂直な方向、すなわちＬＥＤ光源５の長手方向を図１における鉛直方向にとった場合、それに垂直な水平方向（図２の紙面の面方向）の全方位方向に向けて光を照射できる構成のことである。
【００２４】
光透過性容器７は、光を透過する材質を用いて構成されればよく、形状に特に制限はなく、円筒型や箱型など目的に応じた形状を適宜選択できる。光透過性容器７には、特定波長の光を吸収する材質を用いてもよい。光反応に不要な波長を光透過性容器７に吸収させることで光反応に必要な波長のみを反応液へ透過させることができる。光透過性容器７の材質は、反応液への耐食性、耐熱性などの耐久性を勘案して決めることができ、樹脂をはじめとする有機系材料でもガラスをはじめとする無機系材料のいずれでもよい。より具体的には、アクリル樹脂、メタクリル樹脂、ポリカーボネート樹脂、ポリスチレン樹脂、ポリ塩化ビニル樹脂、ポリエステル樹脂や、硼珪酸ガラス、ソーダ石灰ガラス、鉛ガラスなどが挙げられる。
【００２５】
ＬＥＤ素子６とは、ＬＥＤをＬＥＤ光源５に実装する際の最小構成単位である。ＬＥＤとは、紫外線、可視光、赤外光を放射する発光ダイオードであり、使用する発光ダイオードとしては、光反応で必要とされる波長を選択した種類が適宜選定できる。ＬＥＤの形状や寸法には特に制限はなく、目的に合わせた形状・寸法のものを使用できる。一般的な砲弾型や実装型、チップ型等のいずれでもよいが、ＬＥＤの裏面側から放熱できるものが、除熱が容易であるので望ましい。また、ＬＥＤの裏面に放熱基板が設けられているものは、伝熱面積を大きく取れ冷却性能が向上するので望ましい。
【００２６】
本発明において、ＬＥＤ素子６の発光光軸１０とは、前述の平面基板上に搭載されたＬＥＤ素子６から放射される光束の仮想的な中心線である。点灯中のＬＥＤ素子の発光光軸方向に照射される光を消灯中のＬＥＤ素子に到達させない照射光規制構成とは、前述のＬＥＤ素子の発光光軸１０を仮想的に延長したときに、点灯中のＬＥＤ素子からの照射光が、消灯中のＬＥＤ素子に直接的に照射されることを防止あるいは抑制する構成のことである。
【００２７】
本発明において反応容器４内に設けられる光不透過性壁９は、点灯中のＬＥＤ素子から消灯中のＬＥＤ素子への光路を規制する構造を構成するが、この照射光規制構成では、１つのＬＥＤ光源から発せられた光の光路上に、光不透過性材質で形成された板等からなる壁が設置された状態となる。具体的には図１、２に示すように、複数のＬＥＤ光源５の間に光不透過性壁９を設置することが例示できる。光不透過性材質とは、光を透過しない材質であればよく、反応液に対する耐食性、耐熱性などの耐久性を勘案して決めることができる。光透過率としては、望ましくは０．５以下、より望ましくは０．１以下である。光透過率は厚みにも依存するため目的に応じた厚み、寸法とすることができる。
【００２８】
また、光不透過性材質として光反射率の高い材質を選定することもできる。この場合光路を規制する際に壁に受けた光は、壁に吸収されて熱としてロスする。このロスを低減するために光透過性材質として光反射率の高い材質を選定することもできる。この場合、光反射率としては、望ましくは０．５以上、より望ましくは０．８以上である。
【００２９】
光不透過性材質の具体例としては、樹脂をはじめとする有機系材料、あるいは金属、セラミックスなどの無機系材料、あるいは木材などでもよく、より具体的には、アクリル樹脂、メタクリル樹脂、ポリカーボネート樹脂、ポリスチレン樹脂、ポリ塩化ビニル樹脂、ポリエステル樹脂をそのまま用いても、それらに顔料、染料を配合して光透過性を低くせしめたもの、塗料で光透過性を低くせしめたもの、光不透過性のフィルムを巻囲したものでもよい。また、反応液との組み合わせから硼珪酸ガラス、ソーダ石灰ガラス、鉛ガラス、石英ガラス等の本来光透過性の高い材質を使用する場合でも表面を擦過させたすりガラスを使用することもできる。光反射性を高める場合は、金属材料で光沢を有するもの、白色塗料で表面をコーティングしたもの、構造発色にて金属光沢を付加したフィルムを巻囲したものなどが例示できる。
【００３０】
本発明において光吸収物質とは、光源から照射された光を吸収する物質である。点灯中のＬＥＤ素子から消灯中のＬＥＤ素子への光の照射を抑制する目的を達成できれば物質に特に制限はないが、光反応においては反応液中の原料が光を吸収することで反応せしめることができるため、光の利用効率の点から、光吸収物質は光反応の原料系であることが好ましい。
【００３１】
光吸収物質の定められた濃度とは、点灯中のＬＥＤ素子から消灯中のＬＥＤ素子への光の照射を抑制する目的を達成するために必要な濃度である。光吸収率と光吸収物質濃度の関係は式１に示すランバルト−ベール則に従うことが知られている。
［式１］
2019126768.tif 000003
ここで、εは物質と光波長の組み合わせで決まる物性定数であるモル吸光係数（Ｌ／ｍｏｌ／ｃｍ）、Ｃは光吸収物質濃度（ｍｏｌ／Ｌ）、Ｌは光路長（ｃｍ）である。点灯中のＬＥＤ素子から消灯中のＬＥＤ素子間の光軸距離つまり光路長Ｌと照射光波長および光吸収物質の組み合わせからなるモル吸光係数εと光吸収物質濃度Ｌから式１にて算出される光吸収率が、好ましくは０．５以上、より好ましくは０．８以上となるような光吸収物質濃度が適している。
【００３２】
本発明においては、光の照射先は照射された光によって反応せしめる原料系であって、原料系のうち少なくとも１つは液体で構成され、原料系を構成する液体の具体例としてシクロアルカンが例示される。シクロアルカンの炭素数は限定しないが、例えば、シクロプロパン、シクロブタン、シクロペンタン、シクロヘキサン、シクロヘプタン、シクロオクタン、シクロノナン、シクロデカン、シクロウンデカン、シクロドデカンが好ましい。特に、ε−カプロラクタムの原料となるシクロヘキサン、ω−ラウリルラクタムの原料となるシクロドデカンが好ましい。
【００３３】
上記のシクロアルカンおよび光ニトロソ化剤を用いて、発光ダイオードの光照射による光化学反応にてシクロアルカノンオキシムが得られる。光ニトロソ化剤には、塩化ニトロシル、トリクロロソニトロソメタンが好ましい。ニトロソ化剤の供給形態は特に限定されることはないが、例えば、塩化ニトロシルのガス、塩化ニトロシルと塩化水素との混合ガス、一酸化窒素と塩素との混合ガス、一酸化窒素と塩素と塩化水素との混合ガス、ニトローゼガスと塩素との混合ガス等をシクロアルカンに吹き込むことで塩化ニトロシルを光ニトロソ化剤として供給する方法が例示できる。また、塩化ニトロシルとクロロホルムを光化学反応させてトリクロロニトロソメタンをニトロソ化剤として供給してもよい。光化学反応を塩化水素の存在下で行う場合、シクロアルカノンオキシムはその塩酸塩となるが、そのまま塩酸塩の形態でもよい。
【００３４】
上記の光反応によって、シクロアルカンの炭素数に応じたシクロアルカノンオキシムを得ることができる。例えば、シクロヘキサンを用いた塩化ニトロシルによる光ニトロソ化反応ではシクロヘキサノンオキシムが得られる。また、シクロドデカンを用いた塩化ニトロシルによる光ニトロソ化反応ではシクロドデカノンンオキシムが得られる。
【００３５】
＜ラクタムの製造方法＞
本発明に係る光反応装置を用いて、光化学反応を行い、得られたシクロアルカノンオキシムをベックマン転位することによってラクタムが得られる。例えば、シクロヘキサノンオキシムをベックマン転位する反応では以下の反応式［化１］で示すようにε−カプロラクタムが得られる。また、シクロドデカノンオキシムをベックマン転位する反応ではω−ラウロラクタムが得られる。
【００３６】
【化１】
2019126768.tif 000004
【００３７】
なお、上記においては図１〜８を参照して本発明の実施の形態を説明したが、これらの実施形態は例として示したものであり、本発明の範囲を制限することは意図しない。様々な形態で実施することが可能であり、本発明の要旨を逸脱しない範囲で、簡略化や変更を行うことができる。これらの実施形態やそれらの変更も、本発明の範囲に含まれる。
【産業上の利用可能性】
【００３８】
本発明に係る光反応装置は独立して点消灯できる複数のＬＥＤ光源を用いることが望まれるあらゆる分野に適用可能であり、とくに、その光反応装置を用いたラクタムの製造方法に好適なものである。
【符号の説明】
【００３９】
１、１１  光反応装置
２  電源供給部
３  点消灯スイッチ
４  反応容器
５  ＬＥＤ光源
６  ＬＥＤ素子
７  光透過性容器
８、１２  反応液
９  光不透過性壁
１０  発光光軸
２１、２２、２３、２４  ＬＥＤ光源
【図１】
2019126768.tif 000005
【図２】
2019126768.tif 000006
【図３】
2019126768.tif 000007
【図４】
2019126768.tif 000008
【図５】
2019126768.tif 000009
【図６】
2019126768.tif 000010
【図７】
2019126768.tif 000011
【図８】
2019126768.tif 000012